(57)【要約】【課題】  所望の高さに正確且つ容易に位置決めすることができ、家屋の基礎構造における床構造体としての横架材を基礎コンクリート上に所定の隙間を存して水平に配置する際に通気用パッキンに好適な可変スペーサを提供する。【解決手段】  上面に螺旋状の摺動部１２Ａ、１２Ｂが設けられた地板１２と、下面に地板の摺動部と対応して螺旋状の摺動部１３Ａ、１３Ｂが設けられ、該摺動部の終端及び始端が地板の摺動部の始端及び終端に合わされ摺動部１２Ａと１３Ａ、１２Ｂと１３Ｂが当接されて地板に載置され、地板との相対回転により高さが可変される天板１３と、地板と天板に設けられ、これらの地板と天板とを相対回転可能且つ逸脱不能に係止する係止手段１２ｆ、１３ｆとを備えた構成としたものである。【選択図】    図１
2006104843.tif 000002
【特許請求の範囲】
【請求項１】
上面に螺旋状の摺動部が設けられた地板と、
下面に前記地板の摺動部と対応して螺旋状の摺動部が設けられ、該摺動部の終端及び始端が前記地板の摺動部の始端及び終端に合わされ前記摺動部同士が当接されて前記地板に載置され、前記地板との相対回転により高さが可変される天板と、
前記地板と前記天板に設けられ、これらの地板と天板とを相対回転可能且つ逸脱不能に係止する係止手段と
を備えたことを特徴とする可変スペーサ。
【請求項２】
前記地板及び天板は円盤又は円環である、ことを特徴とする請求項１記載の可変スペーサ。
【請求項３】
前記摺動部の長さは１周以下である、ことを特徴とする請求項１記載の可変スペーサ。
【請求項４】
前記係止手段は、前記摺動部の内側に当該摺動部に沿って始端近傍から終端近傍までフランジ状に張り出して形成された凸条と、
前記摺動部の終端の内側に前記凸条と係合するべく前記摺動部から上方に張り出して形成された係止爪とから成る、ことを特徴とする請求項１記載の可変スペーサ。
【請求項５】
前記地板と前記天板は、同一形状である、ことを特徴とする請求項１乃至４の何れかに記載の可変スペーサ。
【請求項６】
前記摺動部は同心的に複数設けられ、且つ隣り合う摺動部の始端及び終端が周方向に所定の中心角度ずれている、ことを特徴とする請求項１記載の可変スペーサ。
【請求項７】
前記摺動部は、周方向に沿って複数等分され、各始端から各終端まで所定の傾斜角をなす複数の摺動面から成る、ことを特徴とする請求項６記載の可変スペーサ。
【請求項８】
前記地板と前記天板は、同一形状であることを特徴とする請求項６又は７記載の可変スペーサ。
【請求項９】
前記複数の摺動部のうち少なくとも１つの摺動部がＶ溝又は該Ｖ溝に嵌合する逆Ｖ形の凸条から成り、前記地板又は天板の何れか一方の摺動部がＶ溝とされ、何れか他方の摺動部が逆Ｖ形の凸条とされている、ことを特徴とする請求項６又は７記載の可変スペーサ。
【請求項１０】
前記地板及び前記天板の摺動部の内側にこれらの地板と天板とを相対回転可能且つ逸脱不能に係止する係止手段が設けられている、ことを特徴とする請求項６乃至９の何れかに記載の可変スペーサ。
【請求項１１】
前記係止手段は、最も内側の摺動部の内側に設けられている、ことを特徴とする請求項６乃至９の何れかに記載の可変スペーサ。
【請求項１２】
前記係止手段は、前記摺動部の内側に当該摺動部に沿って始端近傍から終端近傍までフランジ状に張り出して形成された凸条と、
前記摺動部の終端の内側に前記凸条と係合するべく前記摺動部から上方に張り出して形成された係止爪とから成る、ことを特徴とする請求項６乃至９の何れかに記載の可変スペーサ。
【請求項１３】
前記係止手段は、前記複数の摺動部の内の一つの摺動部の一つの摺動面の外側に当該摺動面に沿って始端から中央位置までフランジ状に張り出して形成された第１の係止爪と、
前記摺動部の外側の摺動部の前記第１の係止爪が形成された摺動面と１８０°反対側の摺動面の内側に前記摺動面に沿ってその中央位置から終端までフランジ状に張り出し前記第１の係止爪と係合可能な第２の係止爪とから成る、ことを特徴とする請求項６乃至９の何れかに記載の可変スペーサ。
【請求項１４】
前記係止手段は、前記地板又は天板の何れか一方の摺動部の内側に当該摺動部に沿って前記始端近傍から終端近傍までフランジ状に張り出して形成された凸条と、
前記地板又は天板の何れか他方の前記摺動部の終端の内側に上方に張り出して形成され前記凸条と係合する係止爪とから成る、ことを特徴とする請求項６乃至９の何れかに記載の可変スペーサ。
【請求項１５】
前記地板及び天板の外周面の摺動部の終端位置に前記地板と天板の相対回転を制限するストッパが設けられている、ことを特徴とする請求項１乃至１４の何れかに記載の可変スペーサ。
【発明の詳細な説明】
【技術分野】
【０００１】
本発明は、高さを変えることが可能な可変スペーサに関し、特に家屋の床構造体としての土台等の横架材と基礎コンクリートとの間に介装して床下の通気性を確保すると共に横架材を水平に載置するスペーサに好適な可変スペーサに関する。
【背景技術】
【０００２】
木造家屋の一般的な基礎構造は、図４４に示すように基礎部材としての基礎コンクリート１上に間隔を存して通気用パッキン２を多数載置し、これらの通気用パッキン２上に土台としての横架材３を載置し、当該横架材３のボルト孔３ａ、及びボルト孔３ａの位置に配置されている通気用パッキン２のボルト孔２ａに基礎コンクリート１に垂設した基礎ボルト（アンカーボルト）４を貫通させてワッシャ５を介してナット６により強固に締め付け固定して構築されている。通気用パッキン２は、基礎コンクリート１と横架材３との間に隙間ｇを設けて床下の通気性を確保するためのものである。このような通気性パッキンは周知である。
【発明の開示】
【発明が解決しようとする課題】
【０００３】
家屋の基礎構造において横架材３は、水平に設置することが極めて重要であり、基礎コンクリート１の上面（天端）１ａに通気用パッキン２を介して横架材３を載置する構造においては、基礎コンクリート１の上面１ａを水平に且つ滑らかに形成する所謂天端均しが必要不可欠である。
また、基礎コンクリート１の上面１ａに載置する多数の通気用パッキン２は、全て水平に且つ正確な高さに設置することが必要であり、作業に非常に手間が掛かり、且つ熟練を要する。しかも、通気用パッキン２は、厚さが一定であるために微調整ができないという問題がある。
【０００４】
更に、基礎ボルト４が基礎コンクリート１の中央（真ん中）位置からずれた位置に設置されている場合には、これに伴い基礎ボルト４が挿通する通気用パッキン２がその幅方向にずれてしまい、基礎コンクリート１上に横架材３を充分に支持することができなくなるという問題もある。
本発明は、上述の点に鑑みてなされたもので、所望の高さに正確且つ容易に位置決めすることができ、家屋の基礎構造における床構造体としての横架材を基礎コンクリート上に所定の隙間を存して水平に配置する際の通気用パッキンに好適な可変スペーサを提供することを目的とする。
【課題を解決するための手段】
【０００５】
上記目的を達成するために請求項１の可変スペーサは、上面に螺旋状の摺動部が設けられた地板と、下面に前記地板の摺動部と対応して螺旋状の摺動部が設けられ、該摺動部の終端及び始端が前記地板の摺動部の始端及び終端に合わされ前記摺動部同士が当接されて前記地板に載置され、前記地板との相対回転により高さが可変される天板と、前記地板と前記天板に設けられ、これらの地板と天板とを相対回転可能且つ逸脱不能に係止する係止手段とを備えた構成としたものである。
【０００６】
可変スペーサは、地板の摺動部の始端と終端に天板の摺動部の終端と始端を合わせて載置し、地板と天板とを組み付ける。この組み付けた状態において、地板の摺動部と天板の摺動部とが当接し、天板の高さが最も低くなる。前記天板を地板の螺旋状をなす摺動部の始端から終端に向けて回転させると、天板の螺旋状をなす摺動部が地板の摺動部上を始端から終端に向かって摺動し、これに伴い天板の高さが高くなる。これにより、天板の高さを連続的に調節することができる。地板と天板とは係止部材により相対回転可能且つ逸脱不能に係止されており、天板とを回転させて高さ調節する際に地板から外れることが防止され、確実に高さ調整をすることができる。
【０００７】
請求項２の可変スペーサは、請求項１において、前記地板及び前記天板は円盤又は円環としたものである。
地板及び天板の形状を円盤又は円環とすることにより、相対回転させる際の操作性の向上を図ると共に外形に伴う材料のロス、使用場所におけるスペースロスを少なくしている。
【０００８】
請求項３の可変スペーサは、請求項１において、摺動部の長さを１周以下としたものである。
摺動部の長さを１周以下とすることで、摺動部を面接触させることができると共に地板及び天板の相対回転が１回転以下となり作業性が向上する。
請求項４の可変スペーサは、請求項１において、前記係止手段は、前記摺動部の内側に当該摺動部に沿って始端近傍から終端近傍までフランジ状に張り出して形成された凸条と、前記摺動部の終端の内側に前記凸条と係合するべく前記摺動部から上方に張り出して形成された係止爪とから成る、構成としている。
【０００９】
地板の凸条と係止爪に天板の係止爪と凸条を係合してこれらの地板と天板を組み付ける。地板及び天板の凸条は、夫々摺動部に沿って形成されていることにより、天板の回転に伴い当該天板の凸条と係止爪が地板の係止爪と凸条に沿って移動して係合状態を保持する。
請求項５の可変スペーサは、請求項１乃至４の何れかにおいて、前記地板と前記天板は、同一形状としたものである。
【００１０】
地板と天板とを同一形状とすることで、地板の上面と天板の下面とを突き合わせたときに地板の摺動部の始端及び終端に天板の摺動部の終端及び始端を合わせることができる。また、地板と天板を一つの金型により成形することができる。
請求項６の可変スペーサは、請求項１において、前記摺動部は同心的に複数設けられ、且つ隣り合う摺動部の始端及び終端が周方向に所定の中心角度ずれている構成としたものである。
【００１１】
摺動部を同心的に複数設け、隣り合う摺動部を周方向にずらすことにより、外側から内部が見えなくなり、見栄えが向上する。また、塵埃等の侵入を防止する。
請求項７の可変スペーサは、請求項６において、前記摺動部は、周方向に沿って複数等分され、各始端から各終端まで所定の傾斜角をなす複数の摺動面から成る構成としている。
【００１２】
摺動部を周方向に沿う複数の摺動面とすることで、多条ねじと同様に摺動面の傾斜角を大きく取ることができ、天板の少ない回転角で高さの調整範囲を広く取ることができる。
請求項８の可変スペーサは、請求項６又は７において、前記地板と前記天板は、同一形状としたものである。
地板と天板とを同一形状とすることで、地板の上面と天板の下面とを突き合わせたときに地板の摺動部の始端及び終端に天板の摺動部の終端及び始端を合わせることができる。また、地板と天板を一つの金型により成形することができる。
【００１３】
請求項９の可変スペーサは、請求項６又は７において、前記複数の摺動部のうち少なくとも１つの摺動部がＶ溝又は該Ｖ溝に嵌合する逆Ｖ形の凸条から成り、前記地板又は天板の何れか一方の摺動部がＶ溝とされ、何れか他方の摺動部が逆Ｖ形の凸条とされている構成としたものである。
複数の摺動部の少なくとも一つの摺動部をＶ溝とこのＶ溝に嵌合する逆Ｖ形の凸条として接触面積の増大を図ると共に摺動部の横ズレを防止する。地板又は天板の何れか一方の摺動部をＶ溝とし、何れか他方の摺動部を凸条として地板と天板との横ズレを防止する。また、摺動部の接触面積が増大するために天板の回転方向のズレが少なくなる。
【００１４】
請求項１０の可変スペーサは、請求項６乃至９の何れかにおいて、前記地板及び前記天板の摺動部の内側にこれらの地板と天板とを相対回転及び軸方向に変位可能且つ逸脱不能に係止する係止手段が設けられている構成としたものである。
天板を回転させて高さを調節する際に地板から外れることを防止して確実に高さ調整をすることができるようにしている。
【００１５】
請求項１１の可変スペーサは、請求項６乃至９の何れかにおいて、前記係止手段は、最も内側の摺動部の内側に設けられている構成としたものである。
地板と天板とを係止する係止手段を同心的に配置されている複数の摺動部の最も内側の摺動部の内側に設けて、天板を回転し易くしている。また、成形を容易としている。
請求項１２の可変スペーサは、請求項６乃至９の何れかにおいて、前記係止手段は、前記摺動部の内側に当該摺動部に沿って始端近傍から終端近傍までフランジ状に張り出して形成された凸条と、前記摺動部の終端の内側に前記凸条と係合するべく前記摺動部から上方に張り出して形成された係止爪とから成る構成としたものである。
【００１６】
地板の凸条と係止爪に天板の係止爪と凸条を係合してこれらの地板と天板を組み付ける。地板及び天板の凸条は、夫々摺動部に沿って形成されていることにより、天板の回転に伴い当該天板の凸条と係止爪が地板の係止爪と凸条に沿って移動して係合状態を保持する。
請求項１３の可変スペーサは、請求項６乃至９の何れかにおいて、前記係止手段は、前記複数の摺動部の内の一つの摺動部の一つの摺動面の外側に当該摺動面に沿って始端から中央位置までフランジ状に張り出して形成された第１の係止爪と、前記摺動部の外側の摺動部の前記第１の係止爪が形成された摺動面と１８０°反対側の摺動面の内側に前記摺動面に沿ってその中央位置から終端までフランジ状に張り出し前記第１の係止爪と係合可能な第２の係止爪とから成る構成としたものである。
【００１７】
地板の第１の係止爪及び第２の係止爪に天板の第２の係止爪及び第１の係止爪を係合させてこれらの地板と天板とを組み付ける。地板及び天板の各第１、第２の係止爪は、夫々摺動面に沿って形成されていることにより、天板の回転に伴い当該天板の第１、第２の係止爪が地板の第２、第１の係止爪に沿って移動して係合状態を保持する。
請求項１４の可変スペーサは、請求項６乃至９の何れかにおいて、前記係止手段は、前記地板又は天板の何れか一方の摺動部の内側に当該摺動部に沿って前記始端近傍から終端近傍までフランジ状に張り出して形成された凸条と、前記地板又は天板の何れか他方の前記摺動部の始端の内側に上方に張り出して形成され前記凸条と係合する係止爪とから成る構成としたものである。
【００１８】
地板の凸条又は係止爪に天板の係止爪又は凸条を係合してこれらの地板と天板を組み付ける。地板又は天板の凸条は、夫々摺動部に沿って形成されていることにより、天板の回転に伴い地板又は天板の係止爪が地板又は天板の凸条に沿って移動して係合状態を保持する。
請求項１５の可変スペーサは、請求項１乃至１４の何れかにおいて、前記地板及び天板の外周面の摺動部の終端位置に前記地板と天板の相対回転を制限するストッパが設けられている構成としたものである。
【００１９】
天板は、地板の摺動部の始端位置から終端位置まで回転し、終端位置においてストッパにより回転を制限される。これにより、天板の過回転を防止して当該天板の摺動部が地板の摺動部から逸脱することを防止し、天板の最大高さを確保する。
【発明の効果】
【００２０】
請求項１の可変スペーサによれば、天板を地板の摺動部の始端から終端に向けて回転させることで、天板の摺動部が地板の摺動部上を始端から終端に向かって摺動し、これに伴い天板の高さが高くなり、天板の高さを連続的に正確且つ容易に調節することができる。天板を回転させて高さを調節する際に係止部材により地板から外れることが防止され、迅速且つ確実に高さ調整をすることができる。従って、この可変スペーサを基礎コンクリートと横架材或いは床板との間に介挿して通気用パッキンとして使用する場合、これらの横架材或いは床板の高さを正確且つ容易に調整することが可能となり、作業性の向上が図られる。
【００２１】
請求項２の可変スペーサによれば、地板及び天板の形状を円盤又は円環とされていることで、材料の無駄がなくなる。また、地板と天板とを相対回転させる際の操作性の向上を図ると共にスペースに余裕の無い場所にも使用することが可能である。
請求項３の可変スペーサによれば、摺動部の長さを１周以下とすることで、摺動部を面接触させることができると共に地板及び天板の相対回転が１回転以下となり作業性が向上する。
【００２２】
請求項４の可変スペーサによれば、地板と天板とが相対回転する際に天板の凸条と係止爪が地板の係止爪と凸条に沿って移動して係合状態を保持する。
請求項５の可変スペーサによれば、地板と天板とを同一形状とすることで、地板と天板を一つの金型により成形することができ、型代を低減することができる。
請求項６の可変スペーサによれば、摺動部を同心的に複数設け、隣り合う摺動部を周方向にずらすことにより、外側から内部が見えなくなり、見栄えが向上すると共に塵埃等の侵入を防止することができる。
【００２３】
請求項７の可変スペーサによれば、摺動部を周方向に沿う複数の摺動面とすることで、多条ねじと同様に傾斜角を大きく取ることができ、少ない回転で高さの調整範囲を広く取ることができ、作業性の向上が図られる。
請求項８の可変スペーサによれば、地板と天板とを同一形状とすることで、地板と天板を一つの金型により成形することができ、型代を低減することができる。
【００２４】
請求項９の可変スペーサによれば、複数の摺動部の少なくとも一つの摺動部をＶ溝とこのＶ溝に嵌合する逆Ｖ形の凸条とすることで、摺動部の接触面積の増大を図ることができ、天板の回転方向のズレが少なくなると共に地板との横ズレを防止することができる。
請求項１０の可変スペーサによれば、天板を回転させて高さを調節する際に地板から外れることを防止して確実に高さ調整をすることができる。
【００２５】
請求項１１の可変スペーサによれば、地板と天板とを係止する係止手段を同心的に配置されている複数の摺動部の最も内側の摺動部の内側に設けることで、天板を回転し易くなり作業性の向上が図られる。また、見栄えも向上する。
請求項１２の可変スペーサによれば、地板及び天板の凸条は、夫々摺動部に沿って形成されていることにより、天板の回転に伴い当該天板の凸条と係止爪が地板の係止爪と凸条に沿って移動して係合状態を保持することができる。これにより、地板と天板とが分離することが防止される。
【００２６】
請求項１３の可変スペーサによれば、地板及び天板の各第１、第２の係止爪は、夫々摺動面に沿って形成されていることにより、天板の回転に伴い当該天板の第１、第２の係止爪が地板の第２、第１の係止爪に沿って移動して係合状態を保持することができる。これにより、地板と天板とが分離することが防止される。
請求項１４の可変スペーサによれば、地板又は天板の凸条は、夫々摺動部に沿って形成されていることにより、天板の回転に伴い地板又は天板の係止爪が地板又は天板の凸条に沿って移動して係合状態を保持することができ、地板と天板とが分離することが防止される。
【００２７】
請求項１５の可変スペーサによれば、天板は、地板の摺動部の始端位置から終端位置まで回転し、終端位置においてストッパにより回転を制限され、これにより、天板の過回転を防止して当該天板の摺動部の始端が地板の摺動部の終端から逸脱することを防止し、天板の最大高さを確保することができる。
【発明を実施するための最良の形態】
【００２８】
以下、本発明に係る可変スペーサの実施形態を図面により詳細に説明する。
先ず、本発明の可変スペーサの第１実施形態について説明する。図１乃至図３は、可変スペーサの側面図を示し、図４は、図１の平面図を示す。図１及び図４に示すように可変スペーサ１１は、その外径が例えば、図４４に示す横架材３の幅と同じ大きさの円環をなす地板１２と天板１３とからなり、これらの地板１２と天板１３とを相対回転させることにより高さ（厚み）を任意に調整可能とされており、最小調整厚みが例えば、図４４に示す通気用パッキン２の板厚よりも僅かに薄く、最大調整厚みが前記通気用パッキン２の板厚よりも厚くなるように設定されている。
【００２９】
図５に示すように地板１２は、上面に周方向に沿って複数等分例えば、４等分されて摺動部としての幅狭の外側摺動面１２Ａと幅広の内側摺動面１２Ｂとが螺旋状をなして同心的に夫々４面形成されており、外側の摺動面１２Ａと内側摺動面１２Ｂとは周方向に沿って中心角９０°ずれて交互に形成されている。これらの外側摺動面１２Ａ、内側摺動面１２Ｂの幅は、適宜の幅に設定されている。
【００３０】
図５及び図８に示すように外側摺動面１２Ａ、及び内側摺動面１２Ｂは、夫々始端１２Ａｓから終端１２Ａｅ、及び始端１２Ｂｓから終端１２Ｂｅに向かって左回りに所定の角度θをなす上向きの傾斜面とされており、下面１２ａ（図６）から各始端１２Ａｓ、１２Ｂｓまでの高さ、及び下面１２ａから各終端１２Ａｅ、１２Ｂｅまでの高さは、同じ高さとされている。このようにして、外側摺動面１２Ａと内側摺動面１２Ｂとが周方向に沿って螺旋状に形成されている。そして、これらの各摺動面１２Ａ、１２Ｂは、夫々各始端１２Ａｓ、１２Ｂｓが谷部、各終端１２Ａｅ、１２Ｂｅが山部とされている。また、幅広の内側摺動面１２Ｂは、粗面とされており、大きな摺動抵抗を発生させて滑り止めの効果を有するようにされている。
【００３１】
図５乃至図７に示すように内側摺動面１２Ｂの内周縁部には始端１２Ｂｓ近傍から終端１２Ｂｅ近傍まで所定の厚み及び幅をなす係合用の凸条部１２ｂが摺動面１２Ｂと面一を成し、且つ摺動面１２Ｂに沿って中心方向内方にフランジ状に張り出して形成されている。そして、凸条部１２ｂの始端部に所定幅の係合用の切欠１２ｃが形成され、終端部に切欠１２ｃよりも僅かに幅狭の係合用の係止爪１２ｄが形成されている。
【００３２】
係止爪１２ｄは、図５及び図６に示すように凸条部１２ｂの内側に略角形をなして僅かに張り出し、図７に示すように先端が摺動面１２Ｂの終端（山部）１２Ｂｅから突出して略凸条部１２ｂの幅程度外側に略逆Ｌ形状をなし、その下面と摺動面１２ｂとの間の隙間１２ｅに後述する天板の係合用凸条部１３ｂ（図４）を係合させて摺動可能とされている。
【００３３】
また、図５に示すように地板１２の外周面には上下方向に凸条をなして膨出す手回し部１２ｆが周方向に等間隔で複数例えば、４箇所設けられている。この手回し部１２ｆは、隣り合う外側摺動面１２Ａの始端（谷部）１２Ａｓと終端（山部）１２Ａｅとの連設部に配置されており、下面が底面１２ａと面一をなし、上端が当該地板１２の半分の高さとされている（図１）。
【００３４】
図６に示すように地板１２の下面１２ａには凹部１２ｇがその幅の略中央に周方向に沿って等間隔で複数例えば、４箇所設けられている。これらの凹部１２ｇは、後述するように固定スペーサを兼用する場合、該固定スペーサと係合させるための穴である。尚、図６において切欠１２ｃの一側に連設されたスリット１２ｈは、係止爪１２ｄを成形する際の型抜き穴である。
【００３５】
天板１３は、地板１２と同一形状に形成されている。即ち、可変スペーサ１１は、地板１２と天板１３とが同一の形状をなしている。尚、以後天板１３の地板１２と対応する部位に対応する符号を付けて説明する。これらの底板１２、天板１３は、例えば、ＡＢＳ樹脂部材で一体に成形されている。
次に、上記地板１２と天板１３との組付について説明する。
【００３６】
先ず、図４に示すように地板１２の上面と天板１３の下面とを対向させ、地板１２の各切欠１２ｃに天板１３の各係止爪１３ｄを、天板１３の各切欠１３ｃに地板１２の各係止爪１２ｄを夫々挿入し、図５に示す地板１２の外側摺動面１２Ａ、内側摺動面１２Ｂの始端（谷部）１２Ａｓ、１２Ｂｓと、天板１３の外側摺動面１３Ａ、内側摺動面１３Ｂの終端（山部）１３Ａｅ、１３Ｂｅとを合わせて当接させる。この状態において、地板１２の係止爪１２ｄが天板１３の凸条部１３ｂの始端側と係合可能とされ、天板１３の係止爪１３ｄが地板１２の凸条部１３ｂの始端側と係合可能とされる。このようにして地板１２と天板１３とが組み付けられて図１及び図４に示すように円環をなす可変スペーサ１１が構成される。
【００３７】
図１及び図４に示す組付状態において可変スペーサ１１は、地板１２の外側摺動面１２Ａ及び内側摺動面１２Ｂと天板１３の外側摺動面１３Ａ及び内側摺動面１３Ｂとが図９（ａ）、（ｂ）に示すように噛み合い当接している。また、地板１２の手回し部１２ｆと天板１３の手回し部１３ｆとが合致している。可変スペーサ１１は、このときの厚みが最小値Ｄminである。可変スペーサ１１は、この状態において地板１２に対する回転角度が０°とされ、地板１２の各摺動面１２Ａ、１２Ｂと天板１２の各摺動面１３Ａ、１３Ｂとが全面で接触している。
【００３８】
図４において地板１２に対して天板１３を手回し部１３ｆにより矢印ＣＣで示す反時計方向（左回り）に回転させると、天板１３の外側摺動面１３Ａ、内側摺動面１３Ｂが地板１２の外側摺動面１２Ａ、内側摺動面１２Ｂ上を摺動して当該天板１３が上方に移動する。このとき、地板１２の係止爪１２ｄが天板１３の凸条部１３ｂに係合し、天板１３の係止爪１３ｄが地板１２の凸条部１２ｂに係合して摺動する。これにより、地板１２と天板１３との組付状態が保持され、分離することが防止される。
【００３９】
図２は、天板１３が略４５°回転したときの状態を示し、このときの地板１２の外側摺動面１２Ａ、内側摺動面１２Ｂと天板１３の外側摺動面１３Ａと内側摺動面１３Ｂとの当接状態（噛み合い状態）を図１０（ａ）、（ｂ）に示す。この状態において地板１２の摺動面１２Ａ、１２Ｂと天板１２の摺動面１３Ａ、１３ｂとが夫々略半分の面積で８箇所で面接触する。
【００４０】
図４において天板１３を更に回転させ、天板１３の各係止爪１３ｄが地板１２の各係止爪１２ｄに当たると、天板１３の回転が規制されて当該位置に停止する。これらの地板１２、天板１３の係止爪１２ｄ、１３ｄは、ストッパを兼用している。このときの天板１３の最大回転角度は約７５°である。このときの可変スペーサ１１の地板１２と天板１３との関係を図３に示す。また、地板１２の外側摺動面１２Ａ、内側摺動面１２Ｂと天板１３の外側摺動面１３Ａと内側摺動面１３Ｂとの当接状態（噛み合い状態）を図１１（ａ）、（ｂ）に示す。
【００４１】
天板１３の最大回転位置において地板１２の各摺動面１２Ａ、１２Ｂと天板１２の各摺動面１３Ａ、１３Ｂとが夫々全面積の略１／４の面積で８箇所で接触する。そして、図３に示すように可変スペーサ１１は、このときの厚みが最大値Ｄmaxとなる。可変スペーサ１１は、その厚みが図１に示す最小値Ｄminから図３に示す最大値Ｄmaxまで連続して、且つ直線的に変化する。
【００４２】
また、可変スペーサ１１は、周方向に沿って４つの摺動面１２Ａ、１２Ｂ及び１３Ａ、１３Ｂが形成されていることで多条ねじ（４条ねじ）と同じ理由により、前記摺動面の傾斜角θが大きくなり、小さい回転角で高さ調整範囲（ストローク）を大きく取ることができ、作業性が向上する。
天板１３の回転角度は、天板１３の各係止爪１３ｄが地板１２の各係止爪１２ｄに当たるまでとされ、従ってこれらの係止爪１２ｄ、１３ｄの幅により任意に設定可能である。しかしながら、天板１３の回転角を大きくするに伴い地板１２の各摺動面１２Ａ、１２Ｂと天板１２の各摺動面１３Ａ、１３ｂとの接触面積が小さくなり、耐荷重が小さくなる。従って、回転角度と厚み調整範囲、強度（耐荷重）、使い勝手等を考慮して、本実施例では、天板１３の回転角度を上述した約７５°程度、厚みの調整範囲を約６ｍｍ程度としている。
【００４３】
図１２及び図１３は、可変スペーサ１１の使用例を示し、図４４に示す通気用パッキン２に代えて基礎コンクリート１と横架材３との間に通気用のスペーサとして介在した場合を示す。可変スペーサ１１は、その厚み（高さ）を連続的に且つ直線的に調整することができるため、基礎コンクリート１の上端面１ａからの高さを正確に、且つ容易に調整することができ、横架材３を水平に配設することができる。
【００４４】
そして、可変スペーサ１１は、地板１２と天板１３の摺接する各摺動面１２Ａ、１２Ｂと１３Ａ、１３ｂの表面が粗面とされていることでこれらの摺動面間に大きな摺動抵抗が発生して滑りが防止され、天板１３に大きな荷重が加わっても板天板１３の摺動面１３Ａ、１３Ｂが地板１２の摺動面１２Ａ、１２ｂに対する滑りが防止され、天板１３の逆方向（下り方向）の回動が防止される。従って、可変スペーサ１１の高さ（厚み）の変化することがなく、スペーサとしての機能を確実に発揮することができる。
【００４５】
また、可変スペーサ１１を基礎ボルトのある位置に使用する場合、前記基礎ボルトが基礎コンクリート１の中央位置から幅方向にずれていても、可変スペーサ１１は、円環をなしているために図４に２点鎖線で示すように貫通する基礎ボルト４に対して基礎コンクリート１の幅方向及び長さ方向に自由度を有しており、前記基礎ボルト４のずれ分を吸収して基礎コンクリート１の中央に配置することが可能となる。これにより、基礎コンクリート１上に横架材３を全幅に亘り支持することができる。そして、天板１３を手回し部１３ｆにより外側から回すことができるために簡単に高さ調整を行うことができる。
【００４６】
図１３は、基礎コンクリート１と横架材３とのスペースが大きい場合の使用例を示し、基礎コンクリート１上に所定板厚の固定スペーサ１５を載置し、この固定スペーサ１５に重ねて可変スペーサ１１を載置して嵩上げしたものである。固定スペーサ１５は、図１４に示すように可変スペーサ１１と同径の円環をなし、上面１５ａに地板１２の下面１２ａに設けられた凹部１２ｇと対応した位置に前記凹部１２ｇと嵌合する凸部１５ｂが設けられ、これらの凸部１５ｂの間に凸部１５ｂと同径の貫通孔１５ｃが穿設されている。また、固定スペーサ１５の上下両面は、粗面とされ摩擦抵抗を大きくされて滑り止めとされている。
【００４７】
そして、可変スペーサ１１の地板１２を固定スペーサ１５に載置して地板１２の凹部１２ｇに凸部１５ｂを嵌合して嵩上げする。この場合、固定スペーサ１５を貫通孔１５ｃにより相手方に釘等により固定するようにしてもよい。また、固定スペーサ１５が１枚では足りない場合には、固定スペーサ１５を２枚重ねて使用することもできる。この場合、２枚の固定スペーサ１５は、下側の固定スペーサ１５の凸部１５ｂを上側の固定スペーサの貫通孔１５ｃに嵌合させることにより位置ズレすることなく重ねて使用することが可能となる。尚、板厚の異なる固定スペーサを使用するようにしてもよい。このように可変スペーサ１１を固定スペーサ１５により嵩上げして使用することで汎用性を持たせることが可能となる。
【００４８】
この可変スペーサ１１は、上述した使用例の他例えば、床板を水平に敷設する場合、書庫や家具の高さや段差の調整等にも使用することが可能である。更に、可変換気口としても使用することが可能である。
即ち、可変スペーサ１１は、図１０に示すように天板１３が０°〜４５°まで回転する間地板１２と天板１３の外側摺動面１２Ａと１３Ａ、内側摺動面１２Ｂと１３Ｂとが周方向に重なり、可変スペーサ１１の外側と内側とが遮蔽されているが、図１１に示すように天板１３の回転角が４５°を超えると地板１２の内側摺動面１２の内側摺動１２Ｂの終端１２Ｂｅと点板１３の外側摺動面１３Ａの終端１３Ａｅとの間に開口部１６形成されて可変スペーサ１１の外側と内側とが連通する。
【００４９】
そこで、例えば、天板１３の上面の孔を閉塞し、地板１２を換気口の室内側にその下面から外側摺動面１２Ａの始端１２Ａｓの位置まで気密に嵌合させる。そして、前記換気口を塞ぐ場合には天板１３の回転角度を０°（図１の状態）とし、天板１３を４５°以上回転させることで図１１（ｂ）に示すように開口部１６が形成され、前記換気口が開口する。開口部１６は、天板１３の回転角に応じて開口面積が変化し、可変換気口を構成することが可能である。
【００５０】
尚、上記実施形態において可変スペーサ１１は、ＡＢＳ樹脂部材により形成した場合について説明したが、これに限るものではなく、仕様に応じて他の部材例えば、ＰＰ樹脂部材、鋳物、アルミニウム、硬質ゴム等により形成してもよい。
図１５は本発明に係る可変スペーサの第２の実施形態を示す平面図、図１６は、地板と天板とを分離した状態の側面図である。図１５及び図１６に示すように可変スペーサ２１は、地板２２と天板２３とから成り、これらを相対回転することでその高さ（厚さ）を可変可能とされている。
【００５１】
地板２２は、図１７乃至図１９に示すように円環をなし、上面に周方向に沿って４等分され、外側から摺動部としての第１摺動面２２Ａ〜第５摺動面２２Ｅが同心的に螺旋状をなして形成されており、第２摺動面２２Ｂは、第１摺動面２２Ａに対して図中左回り方向に所定の中心角例えば、中心角１５°ずれて形成され、第３摺動面２２Ｃ及び第４摺動面２２Ｄは、第２摺動面２２Ｂに対して左回り方向に中心角４５°ずれて形成され、第５摺動面２２Ｅは、第４摺動面２２Ｄに対して左回り方向に中心角４５°ずれて形成されている。これらの第１摺動面２２Ａ〜第５摺動面２２Ｅの幅は、適宜の幅に設定されている。
【００５２】
第１摺動面２２Ａ〜第５摺動面２２Ｅは、図１９及び図２０（ａ）〜（ｅ）に示すように各始端２２Ａｓ〜２２Ｅｓから各終端２２Ａｅ〜２２Ｅｅに向かって夫々所定の角度θをなす上向きの傾斜面とされている。そして、第１摺動面２２Ａは、図２１、図２２に示すように上面が外側下方に傾斜するナイフエッジ状をなしている。また、第４摺動面２２Ｄは、図１９、図２１乃至図２３に示すように所定角度例えば、頂角がαをなす逆Ｖ字状の山形をなしており、その高さは他の摺動面よりも僅かに低く（例えば、ｄ＝0.5ｍｍ程度）設定されている。
【００５３】
そして、図１７に示すように第２摺動面２２Ｂの終端２２Ｂｅ近傍に半径方向に沿って所定の間隔で滑り止めとしての係止部２２Ｂｃが複数形成されている。この係止部２２Ｂｃは、図２４に示すように頂角が略９０°をなし幅１ｍｍ程度の山形の凸条とされている。
また、地板２２の最外周に位置する摺動面２２Ａは、底面２２ａからの高さが内側の摺動面２２Ｂの底面２２ａからの高さよりも略当該摺動面２２Ｂの高さ分だけ高く設定されている（図１６、図１９及び図２０（ａ）、（ｂ））。
【００５４】
図１７乃至図１９、図２０（ｆ）、及び図２１、図２２に示すように第５摺動面２２Ｅの内周縁部には始端２２Ｅｓ近傍から終端２２Ｅｅ近傍まで所定の厚み及び幅をなす係合用の凸条部２２ｂが摺動面２２Ｅと面一を成し、且つ摺動面２２Ｅに沿って中心方向内方にフランジ状に張り出して形成されている。そして、凸条部２２ｂの始端部に所定幅の係合用の切欠２２ｃが形成されている。切欠２２ｃには僅かな幅の係止部２２ｄが残されている。
【００５５】
図１７に示すように地板２２の外周面には上下方向に凸条をなして膨出す手回し部２２ｆが周方向に等間隔で複数例えば、４箇所設けられている。この手回し部２２ｆは、隣り合う第１摺動面２２Ａの始端（谷部）２２Ａｓと終端（山部）２２Ａｅとの連設部に配置されており、図１６に示すように下面が底面２２ａと面一をなし、上端が第１摺動面２２Ａの始端２２Ａｓよりも僅かに高い位置に位置している。
【００５６】
また、図１８に示すように地板２２の下面２２ａには前述した固定スペーサ１５を使用する際に固定スペーサ１５の凸部１５ａと嵌合するための凹部２２ｈが設けられている。
図２５に示すように天板２３は、地板２２と同型の円盤をなし、下面に地板２２の第１摺動面２２Ａ〜第５摺動面２２Ｅと対応して第１摺動面２５Ａ〜第５摺動面２５Ｅが形成されている。第２摺動面２３Ｂは、第１摺動面２３Ａに対して図中右回り方向に所定の中心角例えば、中心角１５°ずれて形成され、第３摺動面２３Ｃ及び第４摺動面２３Ｄは、第２摺動面２３Ｂに対して右回り方向に中心角４５°ずれて形成され、第５摺動面２３Ｅは、第４摺動面２３Ｄに対して右回り方向に中心角４５°ずれて形成されている。
【００５７】
第１摺動面２３Ａ〜第５摺動面２３Ｅは、図２６及び図２７（ａ）〜（ｅ）に示すように夫々各始端２３Ａｓ〜２３Ｅｓから各終端２３Ａｅ〜２３Ｅｅに向かって左回りに所定の角度θをなす上向きの傾斜面とされている。そして、第１摺動面２３Ａは、図２８、図２９に示すように下面が内側下方に傾斜する溝状をなし、地板２２の第１摺動面２２Ａと係合可能とされている。また、第４摺動面２３Ｄは、図２６、図２８、図２９に示すように所定角度例えば、頂角がβをなすＶ字状の谷形をなしており、その高さは、他の摺動面よりも僅かに低く（例えば、ｄ＝0.5ｍｍ程度）設定されている。尚、Ｖ字状をなす第４摺動面２３Ｄの頂角βは、地板２２の逆Ｖ字状の第４摺動面２２Ｄの頂角αよりも僅かに（数度例えば、４°程度）小さく（β＜α）設定されている。
【００５８】
そして、図２５に示すように第２摺動面２３Ｂには始端２３Ｂｓから終端２３Ｂｅまで半径方向に沿って所定間隔で滑り止めとしての係止部２３Ｂｃが多数形成されている。この係止部２３Ｂｃは、図３０に示すように頂角が略９０°をなし幅１ｍｍ程度のＶ溝とされている。この係止部２３Ｂｃは、地板２２の第２摺動面２２Ｂの山形の係止部２２Ｂｃと係合して滑り止めとされる。これらの係止部２２Ｂｃ、２３Ｂｃの間隔は、例えば、高さ方向のストロークが0.3ｍｍ程度（中心角にして約3.75°）に設定されており、極めて僅かな高さ調整が可能とされている。また、他の摺動面を祖面として摺動抵抗を増大させるようにしても良い。
【００５９】
尚、図２５において、係止部２３Ｂｃは、各第２摺動面２３Ｂの始端２３Ｂｓから終端２３Ｂｅまで設けられているが、図面が煩雑となって見難くなることを避けるために１つの摺動面２３Ｂにのみ記載してある。
天板２３の最外周に位置する摺動面２３Ａは、地板２２の摺動面２２Ａとは反対に上面２３ａからの高さが内側の摺動面２３Ｂの上面２３ａからの高さよりも略当該摺動面２３Ｂの高さ分だけ低く設定されている（図１６、図２６及び図２７（ａ）、（ｂ））。
【００６０】
図２５、図２６及び図２８に示すように各第５摺動面２３Ｅの終端２３Ｅｅの内側に係止爪２３ｆが形成されている。この係止爪２３ｆは、先端が第５摺動面２３Ｅの終端２３Ｅｅから上方に突出し、地板２２の第５摺動面２２Ｅの内周縁部に形成されている凸条部２２ｂ（図１８）の幅程度外側に略逆Ｌ形状をなし、その下面と第５摺動面２３Ｅとの間の隙間２３ｅに地板２２の係合用凸条部２２ｂと係合して摺動可能とされる。
【００６１】
図１５に戻り、天板２３の上面２３ａには中央に小孔２３ｇが穿設されており、当該小孔２３ｇと同心的に六角形の凹部２３ｈ（以下「六角穴２３ｈ」という）が設けられている。また、中止からずれた位置に基礎ボルト貫通用の孔２３ｉが設けられている。この孔２３ｉは、外周縁が図１７に示す地板２２の中央の大径の孔２２ｉの内周と接するように設定されている。前記六角孔２３ｈは、天板２３を六角レンチにより回転させて高さ調整可能とするためのものである。尚、図１５において上面２３ａのスリット２２ｊは、係止爪２２ｆを成形する際の型抜き穴である。
【００６２】
図1５及び図１６に示すように天板２３の上面２３ｅの周縁部及び外周面には周方向に沿って目盛２３ｋが所定の間隔で刻設されており、図１５に示す最小高さ位置から最大高さ位置までの高さを目視により調整可能とされている。
図１５及び図１６に示すように天板２３の外周面には上下方向に凸条をなして膨出する手回し部２３ｍが周方向に等間隔で４箇設けられている。この手回し部２２３ｍは、隣り合う第１摺動面２３Ａの始端と終端との連設部に配置されており、図１６に示すように上面が上面２３ａと面一をなし、上端が第１摺動面２３Ａの始端よりも僅かに低い位置に位置している。
【００６３】
次に、上記地板２２と天板２３との組付について説明する。
先ず、図１６に示すように地板２２の上面と天板２３の下面とを対向させ、図１８に示す地板２２の各切欠２２ｃに天板２３の各係止爪２３ｆを挿入した後押し込んで、係止爪２３ｆの先端を、切欠２２ｃの奥に僅かに張り出した係止部２２ｄを乗り越えさせて当該係止部２２ｄに係止させる。これにより、地板２２と天板２３とが逸脱不能に組み付けられて可変スペーサ２１とされる。図３１に組み付けた状態の可変スペーサ２１を示す。そして、地板２２の手回し部２２ｆの側面と天板２３の手回し部２３ｍの側面とが当接している。
【００６４】
可変スペーサ２１は、上記組み付けた状態において天板２３の回転角が０°とされ、その高さ（厚み）が最小値Ｄminとされる。このとき、地板２２の第１摺接面２２Ａ〜第５摺接面２２Ｅと天板２３の第１摺接面２３Ａ〜第５摺接面２３Ｅは、図３４（ａ）〜（ｅ）に示すように摺動可能に当接している。また、地板２２の係止用凸条２２ｂと天板２３の係止爪２３ｆとが同図（ｆ）に示すように係合している。
【００６５】
図１５において地板２２に対して天板２３を手回し部２３ｍにより矢印ＣＣで示す反時計方向（左回り）に回転させると、天板２３の第１摺動面２３Ａ〜乃至第５摺動面２３Ｅが地板２２の対向する第１摺動面２２Ａ〜第５摺動面２２Ｅ上を摺動して当該天板２３が上方に移動する。
図３２は、図３１の天板２３を略４５°回転したときの状態を示し、このときの地板２２の第１摺動面２２Ａ〜第５摺動面２２Ｅと天板２３の第１摺動面２３Ａ〜第５摺動面２３Ｅは、図３５（ａ）〜（ｅ）に示すように摺接している。また、地板２２の係止用凸条２２ｂと天板２３の係止爪２３ｆとが同図（ｆ）に示すように係合している。
【００６６】
そして、図１７に示す地板２２の第２摺動面２２Ｂの終端２２Ｂｅ近傍に僅かな間隔で形成されている複数の山形状の係止部２２Ｂｃと図２５に示す天板２３の第２摺動面２３Ｂに全長に亘り前記間隔で多数形成されているＶ溝２３Ｂｃの一部が係合し、天板２３の回転方向の滑りが防止される。
更に、地板２２の逆Ｖ字状の山形をなす第４摺動面２２Ｄが天板２３のＶ溝をなす第４摺動面２３Ｄと係合し、且つ山形をなす第４摺動面２２Ｄの頂角α（図２３）がＶ溝をなす第４摺動面２３Ｄの頂角β（図２９）よりも僅かに大きい（α＞β）ことで、第４摺動面２２Ｄが僅かに圧入嵌合される状態となる。これにより、地板２２と天板２３とが強固に係合し、天板２３の回転方向の滑り及び横ズレが防止される。
【００６７】
図１５において天板２３を更に回転させ、天板２３の手回し部２３ｍが地板２２の手回し部２２ｆに当たると、天板２３の回転が規制されて当該位置に停止する。このときの天板２３の最大回転角度は約７５°である。これらの地板２２の手回し部２２ｆと天板２３の手回し部２３ｍとがストッパを兼用している。そして、このときの地板２２の第１摺動面２２Ａ〜第５摺動面２２Ｅと天板２３の第１摺動面２３Ａ〜第５摺動面２３Ｅは、図３６（ａ）〜（ｅ）に示すように摺接している。また、地板２２の係止用凸条２２ｂと天板２３の係止爪２３ｆとが図３６（ｆ）に示すように係合している。
【００６８】
そして、図３３に示すように可変スペーサ２１は、このときの高さ（厚みが）最大値Ｄmaxとなる。可変スペーサ２１は、その高さが図３１に示す最小値Ｄminから図３３に示す最大値Ｄmaxまで直線的に変化する。
また、可変スペーサ２１は、地板２２の最外周に位置する摺動面２２Ａの底面２２ａからの高さが内側の摺動面２２Ｂの底面２２ａからの高さよりも略その高さだけ高く設定され（図１６、図１９及び図２０（ａ）、（ｂ））、これに対応して天板２３の最外周に位置する摺動面２３Ａの上面２３ａからの高さが内側の摺動面２３Ｂの上面２３ａからの高さよりも略その高さだけ低く設定されて摺動面２２Ａと摺動面２２Ｂの高さがずれており（図１６、図２６及び図２７（ａ）、（ｂ））、更に、地板２２及び天板２３の第１摺動面２２Ａ及び２３Ａの終端２２Ａｅ、２３Ａｅに対して第２摺動面２２Ｂ、２３Ｂの終端２２Ｂｅ、２３Ｂｅが中心角１５°ずれている（図２０、図２７）ことで、図３１乃至図３３、及び図３６（ａ）、（ｂ）に示すように天板２３が最大回転位置まで回転してもその内部が第２摺動面２２Ｂの側壁により覆われた状態となる。これにより、可変スペーサ２１の内部に塵埃等が入り込むことを有効に防止することができると共に見栄えが良くなる。
【００６９】
また、可変スペーサ２１を前述したように基礎ボルトのある位置に使用する場合、前記基礎ボルトが基礎コンクリート１の中央位置から幅方向にずれている場合でも、可変スペーサ２１は、地板２２が円環をなしているために基礎ボルトに対して基礎コンクリート１の幅方向及び長さ方向に自由度を有しており、また、天板２３の孔２３ｉが偏心していることで前記基礎ボルトのずれ分を吸収して基礎コンクリート１の中央に配置することが可能となり、これにより、基礎コンクリート１上に横架材３を全幅に亘り支持することができる。
【００７０】
更に、コンクリートの土台に可変スペーサ２１を多数設置して床板を敷設する場合等において、各可変スペーサ２１の天板２３の上面２３ａの六角孔２３ｈと対応して床板に孔を開けておき、当該孔から六角レンチにより天板２３を回転させることで、床板を簡単且つ容易に水平に敷設することが可能となり、作業性の向上が図られる。
図３７は、本発明に係る可変スペーサの第３の実施形態の地板３２の平面図を示す。地板３２は、円環をなし上面に周方向に沿って４等分され、摺動部として外側から第１摺動面３２Ａ1〜３２Ａ4、第２摺動面３２Ｂ1〜３２Ｂ4、及び第３摺動面３２Ｃ1〜３２Ｃ4が同心的に形成されており、第２摺動面３２Ｂ1〜３２Ｂ4は、第１摺動面３２Ａ1〜３２Ａ4に対して図中右回り方向に所定の中心角例えば、中心角４５°ずれて形成され、第３摺動面３２Ｃ1〜３２Ｃ4は、第１摺動面３２Ａ1〜３２Ａ4と半径方向に整列して形成されている。そして、第２摺動面３２Ｂ1〜３２Ｂ2と第３摺動面３２Ｃ1〜３２Ｃ2との間、３２Ｂ3〜３２Ｂ4との間に同心的に隙間３２Ｄ1、３２Ｄ2が形成されている。
【００７１】
第１摺動面３２Ａ1、第２摺動面３２Ｂ1、第３摺動面３２Ｃ1は、図３７及び図４０（ａ）、（ｂ）、（ｃ）に示すように始端３２Ａ1ｓから終端３２Ａ1ｅ、始端３２Ｂ1ｓから終端３２Ｂ1ｅ、始端３２Ｃ1ｓから終端３２Ｃ1ｅに向かって所定の角度θをなす右回りに上向きの螺旋状をなす傾斜面とされている。他の摺動面３２Ａ2〜３２Ａ4、３２Ｂ2〜３２Ｂ4、３２Ｃ2〜３２Ｃ4についても同様である。
【００７２】
隙間３２Ｄ1は、第２摺動面３２Ｂ1の始端３２Ｂ1ｓから第２摺動面３２Ｂ2の中央位置（中心角にして１３５°）まで、隙間３２Ｄ2は、第２摺動面３２Ｂ3の始端３２Ｂ3ｓから第２摺動面３２Ｂ4の中央位置（中心角にして１３５°の位置）まで形成されている。
そして、第２摺動面３２Ｂ1の内側縁部上面にその中央位置（中心角にして４５°の位置）から終端３２Ｂ1ｅまで係止爪３２Ｅが形成され、第３摺動面３２Ｃ4の外側縁部上面に始端位置３２Ｃ4ｓからその中央位置（中心角にして４５°の位置）まで係止爪３２Ｆが形成されている。これらの係止爪３２Ｅと３２Ｆは、周方向に１８０°離隔して反対側に位置おり、隙間３２Ｄ1、３２Ｄ2の中間位置に位置している。
【００７３】
係止爪３２Ｅは、図３７、図３９及び図４０（ｄ）に示すように摺動面３２Ｂ1の内側に張り出し、その下面が当該摺動面３２Ｂ1の傾斜面に沿い、上面が平らな側面視三角形状をなして形成されている。係止爪３２Ｆは、図３７乃至図３９及び図４０（ｅ）に示すように摺動面３２Ｃ4の外側に張り出し、その下面が当該摺動面３２Ｃ4の傾斜面に沿い、且つ係止爪３２Ｅと係合可能な上面が平らな側面視三角形状をなして形成されている。これらの係止爪３２Ｅ、３２Ｆの上面は、第１乃至第３の各摺動面の終端と同じ高さとされている。
【００７４】
隙間３２Ｄ1の半径方向の幅は、反対側の係止爪３２Ｆの外周面と内周面との間隔（厚み）よりも僅かに幅広とされ、隙間３２Ｄ2の半径方向の幅は、反対側の係止爪３２Ｅの外周面と内周面との間隔（厚み）よりも僅かに幅広とされている。これにより、後述するように係止爪３２Ｅ、３２Ｆを天板３３の隙間３３Ｄ2、３３Ｄ1の一側（谷側）に、天板３３の係止爪３３Ｅ、３３Ｆを地板３２の隙間３２Ｄ2、３２Ｄ1の一側（谷側）に夫々挿入して組付可能とされる。
【００７５】
また、図３７、図３８に示すように地板３２の外周面に上下方向に凸条をなして膨出する手回し部３２ｆが、第１摺動面３２Ａ1〜３２Ａ4の各終端部（山部）に設けられている。このようにして地板３２が形成されている。
天板３３（図３７）も地板３２と同一の形状をなしている。このように地板３２と天板３３とを同一形状とすることで型代を安くすることができる。
【００７６】
次に、上記地板３２と天板３３との組付について説明する。
図４１（ｄ）に示すように地板３２の上面と天板３３の下面とを対向させ、地板３２の係止爪３２Ｅ、３２Ｆを天板３３の隙間３３Ｄ2、３３Ｄ1の一側（谷側）に、天板３３の係止爪３３Ｅ、３３Ｆを地板３２の隙間３２Ｄ2、３２Ｄ1の一側（谷側）に夫々挿入して組み付ける。
【００７７】
可変スペーサ３１は、上記組み付けた状態において天板３３の回転角が０°とされ、その高さ（厚み）が最小値Ｄminとされる。そして、地板３２の第１摺接面３２Ａ1〜３２Ａ4、第２摺接面３２Ｂ1〜３２Ｂ4、第３摺接面３２Ｃ1〜３２Ｃ4と、天板３３の第１摺接面３３Ａ1〜３３Ａ4、第２摺接面３３Ｂ1〜３３Ｂ4、第３摺接面３３Ｃ1〜３３Ｃ4とが図４１（ａ）、（ｂ）、（ｃ）に示すように摺接している。また、地板３２の係止爪３２Ｅ、３２Ｆと天板３３の係止爪３３Ｆ、３３Ｅとが同図（ｄ）に示すように係合可能とされている。
【００７８】
図４１において地板３２に対して天板３３を矢印Ｃで示す方向（右回り）に回転させると、天板３３の第１摺接面３３Ａ1〜３３Ａ4、第２摺接面３３Ｂ1〜３３Ｂ4、第３摺接面３３Ｃ1〜３３Ｃ4が、地板３２の対向する第１摺接面３２Ａ1〜３２Ａ4、第２摺接面３２Ｂ1〜３２Ｂ4、第３摺接面３２Ｃ1〜３２Ｃ4上を摺動して当該天板２３が上方に移動する。
【００７９】
図４２（ａ）〜（ｃ）は、天板２３が略４５°回転したときの地板３２と天板３３の各摺動面の摺接状態を示し、同図（ｄ）に地板３２の係止爪３２Ｅ、３２Ｆと天板３３の係止爪３３Ｆ、３３Ｅとの係合状態を示す。
そして、地板３２に対して天板３３を更に回転させ、天板３３の各手回し部（図示せず）が地板３２の各手回し部３２ｆに当たると、天板３３の回転が規制されて当該位置に停止する。これら地板３２の各手回し部３２ｆ及び天板３３の各手回し部がストッパと兼用とされる。このときの天板３３の最大回転角度は約７５°である。このときの地板３２と天板３３の各摺動面は、図４３（ａ）〜（ｃ）に示すように摺接している。また、地板３２の係止爪３２Ｅ、３２Ｆと天板３３の係止爪３３Ｆ、３３Ｅとが同図（ｄ）に示すように係合している。そして、可変スペーサ３１は、このときの高さ（厚みが）最大値Ｄmaxとなる。
【００８０】
尚、上記各実施形態において、可変スペーサを円環とした場合について説明したが、これに限るものではなく、使用目的に応じて円盤としても良いことは勿論である。
更に、上記第１及び第の２実施形態においては各摺動面を左回りに上向きの傾斜面として天板を左回りさせたときにストロークが大きくなるようにし、また、第３の実施形態においては各摺動面を右回りに上向きの傾斜面として天板を右回りさせたときにストロークが大きくなるようにしたが、これに限るものではなく仕様に応じて第１、第２の実施形態においては右回りにストロークが大きくなるように、第３の実施形態においては左回りにストロークが大きくなるように傾斜面を設定してもよいことは勿論である。
【００８１】
更に、上記実施形態においては、地板及び天板の外形を円環又は円盤としたが、これに限るものではなく、正方形、六角形や八角形等の多角形としてもよいことは勿論である。
【図面の簡単な説明】
【００８２】
【図１】本発明に係る可変スペーサの第１実施形態を示す側面図である。
【図２】図１に示す可変スペーサの天板を４５°回転させた状態の側面図である。
【図３】図１に示す可変スペーサの天板を最大位置まで回転させた状態の側面図である。
【図４】図１に示す可変スペーサの平面図である。
【図５】図１に示す可変スーペーサの地板の平面図である。
【図６】図５に示す可変スペーサの底面図である。
【図７】図５に示す地板の矢線Ａ−Ａに沿う断面端面図である。
【図８】図５に示す地板の摺動面の展開図である。
【図９】図１に示す可変スペーサの地板と天板の摺動面の摺接状態を示す展開図である。
【図１０】図２に示す可変スペーサの地板と天板の摺動面の摺接状態を示す展開図である。
【図１１】図３に示す可変スペーサの地板と天板の摺動面の摺接状態を示す展開図である。
【図１２】図１に示す可変スペーサの使用例を示す説明図である。
【図１３】図１に示す可変スペーサに固定スペーサを取り付けて使用する場合の説明図である。
【図１４】図１３に示す固定スペーサの底面図である。
【図１５】本発明に係る可変スペーサの第２実施形態を示す平面図である。
【図１６】図１５に示す可変スペーサを地板と天板とを分離した状態の側面図である。
【図１７】図１６に示す地板の平面図である。
【図１８】図１７に示す地板の底面図である。
【図１９】図１７に示す地板の要部斜視図である。
【図２０】図１７に示す地板の摺動面の展開図である。
【図２１】図１７の線Ｂ−Ｂにおける切口の断面図である。
【図２２】図１７の線Ｃ−Ｃにおける切口の断面図である。
【図２３】図２１の一部拡大図である。
【図２４】図１７に示す第２摺動面に設けた係止部の端面図である。
【図２５】図１６に示す天板の底面図である。
【図２６】図２５の天板の要部斜視図である。
【図２７】図２５に示す摺動面の展開図である。
【図２８】図２５に示す天板の線Ｄ−Ｄにおける切口の断面図である。
【図２９】図２８の一部拡大図である。
【図３０】図２５に示す第２摺動面に設けた係止部の断面図である。
【図３１】図１６に示す地板と天板とを組み付けた状態の側面図である。
【図３２】図３１に示す可変スペーサの天板を４５°回転させた状態の側面図である。
【図３３】図３２に示す可変スペーサの天板を最大位置まで回転させた状態の側面図である。
【図３４】図３１に示す可変スペーサの地板と天板の摺動面の摺接状態を示す展開図である。
【図３５】図３２に示す可変スペーサの地板と天板の摺動面の摺接状態を示す展開図である。
【図３６】図３３に示す可変スペーサの地板と天板の摺動面の摺接状態を示す展開図である。
【図３７】本発明に係る可変スペーサの第３実施形態における地板の平面図である。
【図３８】図３７に示す地板の線Ｅ−Ｅにおける切口の断面図である。
【図３９】図３７に示す地板の線Ｆ−Ｆにおける切口の断面図である。
【図４０】図３７に示す地板の摺動面の展開図である。
【図４１】図３７に示す地板と天板とを組み付けた状態における摺動面の展開図である。
【図４２】図４１に示す天板を４５°回転した状態における地板と天板の摺動面の展開図である。
【図４３】図４１に示す天板を最大回転位置まで回転した状態における地板と天板の摺動面の展開図である。
【図４４】木造建築の通気用パッキンを使用した床構造の説明図である。
【符号の説明】
【００８３】
１１、２１、３２  可変スペーサ
１２、２２、３２  地板
１３、２３、３３  天板
１２Ａ、１２Ｂ、１３Ａ、１３Ｂ  摺動面
１２ｂ、１３ｂ、２２ｂ  凸条部
１２ｄ、１３ｄ、２３ｆ  係止爪
２２Ａ〜２２Ｅ、２３Ａ〜２３Ｅ  摺動面
３２Ａ1〜３２Ａ4、３２Ｂ1〜３２Ｂ4、３２Ｃ1〜３２Ｃ4  摺動面
３３Ａ1〜３３Ａ4、３３Ｂ1〜３３Ｂ4、３３Ｃ1〜３３Ｃ4  摺動面
３２Ｅ、３２Ｆ、３３Ｅ、３３Ｆ  係止爪
【図１】
2006104843.tif 000003
【図２】
2006104843.tif 000004
【図３】
2006104843.tif 000005
【図４】
2006104843.tif 000006
【図５】
2006104843.tif 000007
【図６】
2006104843.tif 000008
【図７】
2006104843.tif 000009
【図８】
2006104843.tif 000010
【図９】
2006104843.tif 000011
【図１０】
2006104843.tif 000012
【図１１】
2006104843.tif 000013
【図１２】
2006104843.tif 000014
【図１３】
2006104843.tif 000015
【図１４】
2006104843.tif 000016
【図１５】
2006104843.tif 000017
【図１６】
2006104843.tif 000018
【図１７】
2006104843.tif 000019
【図１８】
2006104843.tif 000020
【図１９】
2006104843.tif 000021
【図２０】
2006104843.tif 000022
【図２１】
2006104843.tif 000023
【図２２】
2006104843.tif 000024
【図２３】
2006104843.tif 000025
【図２４】
2006104843.tif 000026
【図２５】
2006104843.tif 000027
【図２６】
2006104843.tif 000028
【図２７】
2006104843.tif 000029
【図２８】
2006104843.tif 000030
【図２９】
2006104843.tif 000031
【図３０】
2006104843.tif 000032
【図３１】
2006104843.tif 000033
【図３２】
2006104843.tif 000034
【図３３】
2006104843.tif 000035
【図３４】
2006104843.tif 000036
【図３５】
2006104843.tif 000037
【図３６】
2006104843.tif 000038
【図３７】
2006104843.tif 000039
【図３８】
2006104843.tif 000040
【図３９】
2006104843.tif 000041
【図４０】
2006104843.tif 000042
【図４１】
2006104843.tif 000043
【図４２】
2006104843.tif 000044
【図４３】
2006104843.tif 000045
【図４４】
2006104843.tif 000046